(57)【特許請求の範囲】
【請求項１】
ディスクを再生するヘッドをディスクの半径方向に移動可能に設けた機構ユニットと、該機構ユニットの少なくとも一端部を上下動させる上下動機構と、該上下動機構の上下動に連動してディスクの装填位置とディスクの排出位置とを移動するディスクトレイとを有し、
前記上下動機構は、駆動源と、該駆動源の駆動により回転するカムホイールと、該カムホイールの回転に伴って変位するフォロアーとを有し、
前記カムホイールに、装置外部より挿入される操作部材の端部が係合し得る係合部を設け、前記操作部材を操作することにより前記カムホイールを手動で回転することができるよう構成したことを特徴とするディスク装置。
【請求項２】
前記係合部は、前記操作部材の端部を係合部に係合して前記カムホイールを回転させ、その回転により前記ディスクトレイを前記排出位置側へ移動することができる位置に設けられている請求項１に記載のディスク装置。
【請求項３】
前記係合部が、前記カムホイールの外周部に沿って所定間隔をおいて複数形成されている請求項１または２に記載のディスク装置。
【請求項４】
前記係合部は、前記フォロアーの移動を妨げない位置に立設された板片で構成されている請求項１ないし３のいずれかに記載のディスク装置。
【請求項５】
前記係合部は、前記操作部材の端部と係合する部分に凹部を有している請求項１ないし４のいずれかに記載のディスク装置。
【請求項６】
ディスク装置の前面側に、前記操作部材が挿通される孔を有する請求項１ないし５のいずれかに記載のディスク装置。
【請求項７】
ギアを有するカムホイールをモータにより回転駆動し、前記ギアに噛合するラックギアを有するディスクトレイをディスクの装填位置とディスクの排出位置との間で移動させるようにしたディスク装置において、前記ディスクトレイが前記装填位置またはその近傍にある時に前記モータの不作動が生じた場合に、前記ディスク装置の前記カムホイールに近い所定箇所に形成された孔から操作部材を挿入して前記カムホイールを手動で直接回転させることにより、前記ディスクトレイを前記排出位置側へ移動させることを特徴とする非常時のディスク取り出し方法。
【発明の詳細な説明】
【０００１】
【産業上の利用分野】
本発明は、光ディスク等を少なくとも再生する機能を有するディスク装置に関するものである。
【０００２】
【従来の技術】
ＣＤ−ＲＯＭ等の光ディスクを再生するディスク装置が本願出願人により出願されている（実願平５−６９４１４）。図６および図７は、それぞれ、この出願に係るディスク装置の構造を示す分解斜視図および平面図である。
【０００３】
これらの図に示すように、ディスク装置１Ｂは、装置本体２と該装置本体２に対し、前後方向（水平方向）に移動し、出し入れされるディスクトレイ４とから構成されている。
【０００４】
装置本体２は、底板１１と、該底板１１の上部に設けられたメイン回路基板組立体１２と、該メイン回路基板組立体１２の上部に設けられた機構組立体１３と、該機構組立体１３の上側を覆うケース１４とから構成されている。ケース１４は、天板部１４ａを有しその下面（内面）には、ディスククランパ３８が後述するターンテーブル２６と同軸的に回転可能に設置されている。
【０００５】
ケース１４の前板部１４ｅには、前記ディスクトレイ４が通る開口１４１ｅが形成されている。この前板部１４ｅには、同様の開口１６ａを有するフロントベゼル１６が取り付けられている。
【０００６】
機構組立体１３は、略器形状のシャーシ２０を有し、該シャーシ２０には、機構ユニット２２と上下動機構３０とが設けられている。機構ユニット２２は、シャーシ２０の底部２０ａに形成された凹部２１の中央部付近に収まるように配設されており、また上下動機構３０は、凹部２１の前方に収まるように配設されている。
【０００７】
機構ユニット２２は、ベース２３を有し、該ベース２３には、ターンテーブル回転用のスピンドルモータ２５と、ターンテーブル２６と、光学ヘッド２７と、該光学ヘッド２７と、光学ヘッド移動機構２８とが設けられている。
【０００８】
ベース２３は、その後方（装置本体２の奥部側）端部が弾性体（ゴム等）からなるインシュレータ２９ａを介して、シャーシ２０に支持されており、該インシュレータ２９ａの設置箇所を中心にゴムの弾性変形の範囲であらゆる方向に変位可能になっている。
【０００９】
上下動機構３０は、シャーシ２０上の前方側部に設けられたモータ３１と、該モータ３１の回転を減速して伝える減速機構３２と、該減速機構３２を介して回転させられるカムホイール（昇降ギヤ部材）３３と、該カムホイール３３の回転に伴って変位（回動）するベース昇降部材３５とから構成されている。
【００１０】
減速機構３２は、モータ３１の回転軸先端に固定されたほぼ円錐台状のローラ３２ａと、上部にローラ３２ａの外周円錐面と密着する笠状のゴムシートを有するホイール３２ｂと、該ホイール３２ｂの下部に設けられたピニオンギヤ（図示せず）に噛合する大ギヤ３２ｃと、大ギヤ３２ｃの上部に同軸で固定された小ギヤ３２ｄとで構成されている。
【００１１】
カムホイール３３は、前記減速機構３２の小ギヤ３２ｄと噛合する下側ギヤ３３ａと、ディスクトレイ４の裏面（下面）に前後方向に沿って形成されたラックギヤ（図示せず）と噛合する上側ギヤ３３ｂとを有している。また、両ギヤ３３ａ、３３ｂ間の軸部外周には、円周方向に沿ってカム溝３４が形成されている。このカム溝３４は、下側ギヤ３３ａ側に位置する下側カム溝と、上側ギヤ３３ｂ側に位置する上側カム溝と、両カム溝を連結する傾斜カム溝とで構成されている。
【００１２】
一方、ベース昇降部材３５は、図７に示すように、カムホイール３３とベース２３との間に位置している。このベース昇降部材３５は、ほぼ平行に配置された一対のアーム３５ａ、３５ｂとそれらの端部同士を連結する連結部３５ｃと、その両端部に突出形成された軸３５ｄ、３５ｅとを有し、軸３５ｄ、３５ｅを中心に回動するように支持されている。
【００１３】
また、このベース昇降部材３５には、アーム３５ａ、３５ｂの延出側と反対側に、カムホイール３３のカム溝３４に係合する突起状のフォロアー３６が突出形成されている。フォロアー３６が前記上側カム溝と係合している状態では、アーム３５ａ、３５ｂは、軸３５ｄ、３５ｅを中心として下側に回動した位置にあり、一方カムホイール３３の回転に伴ってフォロアー３６が前記傾斜カム溝を経て前記下側カム溝に係合すると、アーム３５ａ、３５ｂは、軸３５ｄ、３５ｅを中心として上側に回動した位置へ移動する。
【００１４】
以上のように構成されたベース昇降部材３５のアーム３５ａ、３５ｂには、ベース２３の前方両側部に形成された連結部に取り付けられたインシュレータ２９ｂ、２９ｃがそれぞれ連結されている。そのため、ベース２３は、カムホイール３３の回転に伴うベース昇降部材３５のアーム３５ａ、３５ｂの上下動に伴い、装置本体２の奥部側にあるインシュレータ２９ａの位置を中心として、その前方部分が上側位置と下側位置との間で上下動する。
【００１５】
ディスクトレイ４は、光ディスク３を載置する浅い凹状のディスク載置部４ａを有し、その裏面に、カムホイール３３の上側ギヤ３３ｂと噛合するラックギヤ（図示せず）が形成されている。従って、ディスクトレイ４は、カムホイール３３の回転に伴い、シャーシ２０に対し前後方向に、ディスクの装填位置とディスクの排出位置との間を移動する。
【００１６】
ディスク装置１Ｂの非使用時には、ディスクトレイ４は、装置本体２内に収納された状態（ディスク装填位置）にある。この状態でイジェクト操作を行うと、モータ３１が所定方向に回転し、減速機構３２を介してカムホイール３３が図７中反時計回りに回転する。このカムホイール３３の回転により、ディスクトレイ４は、前方へ移動し、開口１４１ｅ、１６ａを通過して、装置本体２から外側に突出した位置（ディスク排出位置）まで移動する。
【００１７】
この状態で、ディスク３をディスクトレイ４のディスク載置部４ａに載置し、ローディング操作を行うと、モータ３１が前記と逆方向に回転し、減速機構３２を介してカムホイール３３が図７中時計回りに回転（逆回転）する。これに伴い、ディスクトレイ４が後方へ移動し、開口１４１ｅ、１６ａを通過して、前記ディスク装填位置まで移動する。これにより、ディスクトレイ４上に位置決めされた状態で載置された光ディスク３も、装置本体２内のディスク装填位置へ搬送される。
【００１８】
また、前記カムホイール３３の逆回転が開始されると、ベース昇降部材３５のフォロアー３６が前記上側カム溝に沿って移動し、ディスク３の中心がターンテーブル２６のセンタハブ部２６ａに接近したとき、該フォロアー３６が前記傾斜カム溝を経て下側カム溝へ移動する。これにより、フォロアー３６が下方へ変位し、ベース昇降部材３５が軸３５ｄ、３５ｅを中心に回動し、アーム３５ａ、３５ｂが下側位置から上側位置に移動する。このアーム３５ａ、３５ｂの移動に伴い、各アームに連結されたインシュレータ２９ｂ、２９ｃを介して、ベース２３の前方部分がインシュレータ２９ａの位置を中心として回動し、下側位置から上側位置へ持ち上げられ、ほぼ水平状態となる。
【００１９】
これにより、ターンテーブル２６のセンタハブ部２６ａが光ディスク３の中心孔３ａに嵌合し、光ディスク３の中心部分を支持するとともに、ディスククランパ３８がターンテーブル２６に磁気的に吸着され、ディスククランパ３８とターンテーブル２６との間に光ディスク３が挟持される。
【００２０】
イジェクト操作を行うと、ディスク装置１Ｂの各機構が上述したローディング時とは逆の順序でかつ逆方向に作動し、ディスク３は、クランプが解除され、ディスクトレイ４に載って排出される。
【００２１】
さて、このようなディスク装置１Ｂにおいては、光ディスク３の装填・排出は、モータ３１を駆動源とするディスクトレイ４の移動により行っているが、停電等により各モータ等の装置各部の駆動が停止した時、特に、光ディスク３を回転駆動し再生を行っている最中に停電が生じ、光ディスク３の回転が停止した時には、ディスクトレイ４を移動して光ディスク３を排出することができなくなる。そのために、手動でディスクトレイ４を移動し、光ディスク３を排出し得る非常排出機構４０が設けられている。
【００２２】
この非常排出機構４０は、図７に示すように、シャーシ２０の前方部分に回転可能に支持された軸４１と、該軸４１の一端に固定されたほぼ円錐台状のローラ４２と、軸４１を装置前方側へ付勢する板バネ４３とで構成されている。
【００２３】
通常は、板バネ４３の付勢力により軸４１が装置前方側へ移動し、軸４１の他端が装置の前面に突出するとともに、ローラ４２は、前記ホイール３２ｂと非接触の状態にある。なお、軸４１の前方側突出端には、ドライバー（図示せず）が挿入される一文字状の溝が形成されている。
【００２４】
ドライバーを用い、板バネ４３の付勢力に抗して軸４１を押し込むと、これに伴ってローラ４２が後方へ移動し、その外周円錐面がホイール３２ｂの上部のゴムシート（円錐面）に圧着される。この状態を維持しつつ、ドライバーにより軸４１を所定方向に手動で回転すると、ホイール３２ｂが図２中反時計回りに回転し、カムホイール３３が同方向回転し、前記と同様にディスクトレイ４が前方へ移動し、トレイ上の光ディスク３を排出することができる。
【００２５】
しかしながら、このような非常排出機構４０においては、ドライバーで軸４１を押し込みつつそれを回転する操作が必要であるが、この操作がし難いという問題がある。
【００２６】
さらに、非常排出機構４０は、常時使用されるものではないにもかかわらず、それを設置するためのスペースを確保しなければならず、装置の大型化、構造の複雑化を招くとともに、部品点数の増大およびそれによる製造コストの上昇を招くという問題がある。
【００２７】
【発明が解決しようとする課題】
本発明の目的は、ディスクの排出操作が簡単であり、また、装置の構成を簡素化し、非常排出機構に関する部品点数の減少を図ることができるディスク装置を提供することにある。
【００２８】
また、本発明の他の目的は、非常時におけるディスクの排出操作が簡単なディスク装置および非常時のディスク取り出し方法を提供することにある。
【００２９】
【課題を解決するための手段】
上記目的を達成するために、本発明のディスク装置は、ディスクを再生するヘッドをディスクの半径方向に移動可能に設けた機構ユニットと、該機構ユニットの少なくとも一端部を上下動させる上下動機構と、該上下動機構の上下動に連動してディスクの装填位置とディスクの排出位置とを移動するディスクトレイとを有し、前記上下動機構は、駆動源と、該駆動源の駆動により回転するカムホイールと、該カムホイールの回転に伴って変位するフォロアーとを有し、前記カムホイールに、装置外部より挿入される操作部材の端部が係合し得る係合部を設け、前記操作部材を操作することにより前記カムホイールを手動で回転することができるよう構成したことを特徴とする。
【００３０】
また、好ましくは、前記係合部は、前記操作部材の端部を係合部に係合して前記カムホイールを回転させ、その回転により前記ディスクトレイを前記排出位置側へ移動することができる位置に設けることができる。
【００３１】
さらに好ましくは、前記係合部を、前記カムホイールの外周部に沿って所定間隔をおいて複数形成することができる。
【００３２】
さらに好ましくは、前記係合部を、前記フォロアーの移動を妨げない位置に立設された板片で構成することができる。
【００３３】
さらに好ましくは、前記係合部は、前記操作部材の端部と係合する部分に凹部を有してもよい。
【００３４】
さらに好ましくは、ディスク装置の前面側に、前記操作部材が挿通される孔を有することができる。
【００３５】
また、本発明の非常時のディスク取り出し方法は、ギアを有するカムホイールをモータにより回転駆動し、前記ギアに噛合するラックギアを有するディスクトレイをディスクの装填位置とディスクの排出位置との間で移動させるようにしたディスク装置において、前記ディスクトレイが前記装填位置またはその近傍にある時に前記モータの不作動が生じた場合に、前記ディスク装置の前記カムホイールに近い所定箇所に形成された孔から操作部材を挿入して前記カムホイールを手動で直接回転させることにより、前記ディスクトレイを前記排出位置側へ移動させることを特徴とする。
【００３６】
【作用】
本発明のディスク装置は、光ディスクのようなディスクを再生するヘッドをディスクの半径方向に移動可能に設けた機構ユニットと、該機構ユニットの一端部を上下動させる上下動機構と、該上下動機構の上下動に連動してディスクの装填位置とディスクの排出位置との間を移動するディスクトレイとを有しており、さらに、前記上下動機構は、駆動源と、該駆動源の駆動により回転するカムホイールと、該カムホイールの回転に伴って変位するフォロアーとを有している。また、前記カムホイールには、操作部材の端部が係合し得る係合部が１または２箇所以上に設けられている。
【００３７】
ディスク装置内でディスクが回転し、再生がなされている時に、例えば停電が生じ、ディスクの回転が停止した場合には、次のようにしてディスクを取り出す。
【００３８】
ディスク装置の外部、特に前方より棒状の操作部材を挿入し、その端部をカムホイールの係合部に係合した状態で、操作部材を押圧操作してカムホイールを所定方向に手動で回転する。これにより、前記上下動機構が作動し、前記機構ユニットの一端部が下降するとともに、ディスクトレイが前方へ移動する。ディスク装置の前面よりディスクトレイが突出したら、この突出部分を手で把持して引き出すことにより、ディスクトレイを前記排出位置へ強制的に移動させる。その後、ディスクトレイ上からディスクを取り出す。
【００３９】
【実施例】
以下、本発明のディスク装置および該装置による非常時のディスク取り出し方法を添付図面に示す好適実施例に基づいて詳細に説明する。
【００４０】
図１は、本発明のディスク装置の実施例を示す分解斜視図、図２は、図１に示すディスク装置の平面図、図３は、図１に示すディスク装置におけるカムホイールの構成を示す斜視図、図４は、図１に示すディスク装置におけるディスクトレイの裏面の構成を示す底面図である。
【００４１】
図１に示すように、本発明のディスク装置１Ａは、ＣＤ−ＲＯＭ等の光ディスク３を再生する装置であって、主に、装置本体２と、該装置本体２に対し、前後方向（水平方向）に移動し、出し入れされる光ディスク３載置、搬送用のディスクトレイ４とから構成されている。
【００４２】
装置本体２は、底板１１と、該底板１１の上部に設けられたメイン回路基板組立体１２と、該メイン回路基板組立体１２の上部に設けられた機構組立体１３と、該機構組立体１３の上側を覆うケース１４とから構成されている。
【００４３】
ケース１４は、天板部１４ａと、左右の側板部１４ｂ、１４ｃと、背板部１４ｄと、前板部１４ｅとを有する。天板部１４ａの下面（内面）には、ディスククランパ３８が後述するターンテーブル２６と同軸的に回転可能に設置されている。
【００４４】
前板部１４ｅには、前記ディスクトレイ４が通る細幅の開口１４１ｅが形成されている。この前板部１４ｅには、スポンジ製等のクッション材よりなる枠１５を介してフロントベゼル１６が取り付けられている。フロントベゼル１６にも、前記ディスクトレイ４が出し入れされる細幅の開口１６ａが形成されている。
【００４５】
機構組立体１３は、略器形状のシャーシ２０を有している。このシャーシ２０は、長方形の略板状の底部２０ａと、該底部２０ａの左右および後方縁部に沿ってコ字状に立設された壁部２０ｂとから構成されている。シャーシ２０のフロントベゼル１６側には、壁部は形成されておらず、開放された状態になっており、ケース１４に組み込まれた際に、前記開口１４１ｅが位置するようになっている。
【００４６】
このシャーシ２０には、機構ユニット２２と上下動機構３０とが設けられている。このうち、機構ユニット２２は、シャーシ２０の底部２０ａに形成された凹部２１の中央部付近に収まるように配設されており、また上下動機構３０は、凹部２１の前方に収まるように配設されている。
【００４７】
機構ユニット２２は、ベース２３を有し、該ベース２３には、ターンテーブル回転用のスピンドルモータ２５と、該スピンドルモータ２５の回転軸に固定されたターンテーブル２６と、光学ヘッド（アクチュエータを含む）２７と、該光学ヘッド２７を光ディスク３の半径方向に移動する光学ヘッド移動機構２８とが設けられている。ターンテーブル２６は、ディスククランパ３８を吸着し得る永久磁石を備えている。
【００４８】
光学ヘッド移動機構２８は、正転／逆転可能なモータ２８ａと、該モータ２８ａの駆動により回転するリードスクリュー２８ｂと、モータ２８ａの回転を減速してリードスクリュー２８ｂへ伝達する減速歯車列２８ｃと、リードスクリュー２８ｂの螺旋状溝に係合する係合部材２８ｄを備えたスライダ２８ｅと、該スライダ２８ｅの移動方向を規制するガイド棒２８ｇと、光学ヘッド２７を搭載し、スライダ２８ｅと一体的に形成された載置台２８ｆとで構成されている。リードスクリュー２８ｂおよびガイド棒２８ｇは、それぞれ、その長手方向がディスク装置１Ａの前後方向となるように配置されている。
【００４９】
このような光学ヘッド移動機構２８においては、リードスクリュー２８ｂの螺旋状溝に係合部材２８ｄが係合していることから、モータ２８ａの駆動によりリードスクリュー２８ｂが所定方向に回転すると、スライダ２８ｅがガイド棒２８ｇに沿ってディスク装置１Ａの前後方向に移動し、これにより、載置台２８ｆ上に搭載された光学ヘッド２７が、装填位置にあるディスクトレイ４上に載置された光ディスク３の半径方向に移動する。
【００５０】
ベース２３は、その後方（装置本体２の奥部側）端部が弾性体（ゴム等）からなるインシュレータ２９ａを介して、シャーシ２０に支持されており、該インシュレータ２９ａの設置箇所を中心にゴムの弾性変形の範囲であらゆる方向に変位可能になっている。
【００５１】
上下動機構３０は、シャーシ２０上の前方側部に設けられた正転／逆転可能なモータ（駆動源）３１と、該モータ３１の回転を減速して伝える減速機構３２と、該減速機構３２を介して回転させられるカムホイール（昇降ギヤ部材）３３と、該カムホイール３３の回転に伴って変位（回動）するベース昇降部材３５とから構成されている。
【００５２】
減速機構３２は、モータ３１の回転軸先端に固定されたほぼ円錐台状のローラ３２ａと、上部にローラ３２ａの外周円錐面と密着する笠状のゴムシートを有するホイール３２ｂと、該ホイール３２ｂの下部に設けられたピニオンギヤ（図示せず）に噛合する大ギヤ３２ｃと、大ギヤ３２ｃの上部に同軸で固定された小ギヤ３２ｄとで構成されている。モータ３１の回転は、この減速機構３２により所定の減速比で減速されてカムホイール３３に伝達される。
【００５３】
カムホイール３３は、各種プラスチックで構成されており、前記減速機構３２の小ギヤ３２ｄと噛合する下側ギヤ３３ａと、ディスクトレイ４の裏面（下面）に前後方向に沿って形成されたラックギヤ４ｂと噛合する上側ギヤ３３ｂとを有している。また、両ギヤ３３ａ、３３ｂ間の軸部外周には、円周方向に沿ってカム溝３４が形成されている。このカム溝３４は、両ギヤ３３ａ、３３ｂの中間に形成されたフランジ３３１と下側ギヤ３３ａとの間に形成された下側カム溝３４ａと、フランジ３３１と上側ギヤ３３ｂとの間に形成された上側カム溝３４ｂと、両カム溝３４ａ、３４ｂを連結する傾斜カム溝３４ｃとで構成されている。この場合、上側カム溝３４ｂは、カムホイール３３のほぼ全周に渡って形成されており、下側カム溝３４ａは、カムホイール３３の中心角が１０〜４５°程度の角度範囲で形成されている。
【００５４】
一方、ベース昇降部材３５は、図２に示されているように、カムホイール３３とベース２３との間に位置している。このベース昇降部材３５は、ほぼ平行に配置された一対のアーム３５ａ、３５ｂとそれらの端部同士を連結する連結部３５ｃとを一体的に形成してなるもので、全体として略Ｃ字状をなしている。連結部３５ｃの両端部には、それぞれ、軸３５ｄ、３５ｅが突出形成されており、これらの軸３５ｄ、３５ｅは、シャーシ２０に回動可能に支持されている。そのため、このベース昇降部材３５は、軸３５ｄ、３５ｅを中心に回動し、これに伴ってアーム３５ａ、３５ｂも軸３５ｄ、３５ｅを中心に回動する。
【００５５】
また、このベース昇降部材３５には、アーム３５ａ、３５ｂの延出側と反対側に、カムホイール３３のカム溝３４に係合する突起状のフォロアー（従動部材）３６が突出形成されている。図３に示すように、フォロアー３６の先端には、球体３６１が形成され、該球体３６１がカム溝３４内に挿入され、カムホイール３３の回転に伴って、カム溝３４内を摺動する。
【００５６】
フォロアー３６が上側カム溝３４ｂと係合している状態では、アーム３５ａ、３５ｂは、軸３５ｄ、３５ｅを中心として下側に回動した位置にあり、一方カムホイール３３の回転に伴ってフォロアー３６が傾斜カム溝３４ｃを経て下側カム溝３４ａに係合すると、アーム３５ａ、３５ｂは、軸３５ｄ、３５ｅを中心として上側に回動した位置へ移動する。
【００５７】
以上のように構成されたベース昇降部材３５のアーム３５ａ、３５ｂには、ベース２３の前方両側部に形成された連結部に取り付けられたインシュレータ２９ｂ、２９ｃがそれぞれ連結されている。そのため、ベース２３は、カムホイール３３の回転に伴うベース昇降部材３５のアーム３５ａ、３５ｂの上下動に伴い、装置本体２の奥部側にあるインシュレータ２９ａの位置を中心として、その前方部分が上側位置と下側位置との間で上下動する。
【００５８】
なお、ディスク装置１Ａは、ベース２３が３個のインシュレータ２９ａ、２９ｂ、２９ｃを介してシャーシ２０に支持された構造となっているので、シャーシ２０からベース２３に伝わる振動の影響を極力少なくすることができる。
【００５９】
ディスクトレイ４は、図１に示すように、浅い凹状のディスク載置部４ａを有しており、光ディスク３は、該ディスク載置部４ａ上に載置され、所望に位置規制された状態で搬送される。
【００６０】
図４に示すように、ディスクトレイ４の裏面には、カムホイール３３の上側ギヤ３３ｂと噛合するラックギヤ４ｂが形成されている。これにより、ディスクトレイ４は、カムホイール３３の回転に伴い、シャーシ２０に対し前後方向に、ディスクの装填位置とディスクの排出位置との間を移動する。そして、光ディスク３のローディング操作では、カムホイール３３が図２中時計回りに回転し、それによりディスクトレイ４が後方に移動し、ディスク３が装置本体２内に運び込まれる。
【００６１】
次に、ディスク装置１Ａの作用について説明する。
【００６２】
ディスク装置１Ａの非使用時には、ディスクトレイ４は、装置本体２内に収納された状態（ディスク装填位置）にある。この状態でイジェクト操作を行うと、モータ３１が所定方向に回転し、減速機構３２を介してカムホイール３３が図２中反時計回りに回転する。このカムホイール３３の回転により、上側ギヤ３３ｂとディスクトレイ４の裏面のラックギヤ４ｂとが噛合していることから、ディスクトレイ４は、前方へ移動し、開口１４１ｅ、１６ａを通過して、装置本体２から外側に突出した位置（ディスク排出位置）まで移動する。
【００６３】
この状態で、ディスク３をディスクトレイ４のディスク載置部４ａに載置し、ローディング操作を行うと、モータ３１が前記と逆方向に回転し、減速機構３２を介してカムホイール３３が図２中時計回りに回転（逆回転）する。これに伴い、ディスクトレイ４が後方へ移動し、開口１４１ｅ、１６ａを通過して、前記ディスク装填位置まで移動する。これにより、ディスクトレイ４上に位置決めされた状態で載置された光ディスク３も、装置本体２内のディスク装填位置へ搬送される。
【００６４】
また、前記カムホイール３３の逆回転が開始されると、前記ベース昇降部材３５のフォロアー３６が上側カム溝３４ｂに沿って移動し、光ディスク３の中心がターンテーブル２６のセンタハブ部２６ａに接近したとき、該フォロアー３６が傾斜カム溝３４ｃを下り、下側カム溝３４ａへ移動する。これにより、フォロアー３６が下方へ変位し、ベース昇降部材３５が軸３５ｄ、３５ｅを中心に回動し、アーム３５ａ、３５ｂが下側位置から上側位置に移動する。このアーム３５ａ、３５ｂの移動に伴い、各アームに連結されたインシュレータ２９ｂ、２９ｃを介して、ベース２３の前方部分がインシュレータ２９ａの位置を中心として回動し、下側位置から上側位置へ持ち上げられ、ほぼ水平状態となる。
【００６５】
これにより、ターンテーブル２６のセンタハブ部２６ａが光ディスク３の中心孔３ａに嵌合し、ターンテーブル２６がディスク３の中心部分を支持して持ち上げる。また、ケース１４の天板部１４ａの下面に回転可能に支持されたディスククランパ３８がターンテーブル２６に磁気的に吸着され、ディスククランパ３８とターンテーブル２６との間に光ディスク３が挟持される。
【００６６】
以上のようにして光ディスク３がディスク装填位置に装着されると、続いてスピンドルモータ２５が作動し、光ディスク３が一定の速度で回転する。また、光学ヘッド２７は、光学ヘッド移動機構２８により所定の位置に移動され、トラッキグ制御およびフォーカス制御がなされつつ光ディスク３の記録面に対し投光・受光を行って、光ディスク３に記録された情報を再生する。
【００６７】
イジェクト操作を行うと、ディスク装置１Ａの各機構が上述したローディング時とは逆の順序でかつ逆方向に作動し、ディスク３は、クランプが解除され、ディスクトレイ４に載って排出される。
【００６８】
さて、このようなディスク装置１Ａにおいては、光ディスク３の装填・排出は、モータ３１を駆動源とするディスクトレイ４の移動により行っているが、停電等により、モータ２５、２８ａ、３１等の装置各部の駆動が停止した時（以下「非常時」という）、特に、光ディスク３を回転駆動し再生を行っている最中に停電が生じ、光ディスク３の回転が停止した時には、ディスクトレイ４を移動して光ディスク３を排出することができなくなる。そのために、ディスク装置１Ａは、手動でディスクトレイ４を前方へ移動し、光ディスク３を排出し得る非常排出機構を有している。
【００６９】
本実施例のディスク装置１Ａにおける非常排出機構５０は、前記カムホイール３３に設けられている。すなわち、図３に示すように、カムホイール３３の外周部であって、フランジ３３１と下側ギヤ３３ａとの間に複数（本実施例では３つ）の板片（突部）５１、５２、５３が立設されている。各板片５１、５２、５３は、カムホイール３３を装置外部より手動で回転操作するための棒状の操作部材５４の先端部が係合し得る係合部を構成するものである。
【００７０】
板片５１、５２、５３は、部品点数の増大を防止するために好ましくはカムホイール３３と一体的に形成されており、その設置位置は、操作部材５４の先端で板片５１、５２、５３を押圧してカムホイール３３を図２中反時計回りに回転させ、ディスクトレイ４を装置前方側（前記排出位置側）へ移動することができる位置とされている。
【００７１】
また、板片５１、５２、５３は、フォロアー３６のカムホイール３３に対する移動を妨げない位置、すなわち、カム溝３４と交差しない位置に設けられている。
【００７２】
板片５１、５２、５３の設置間隔は、特に限定されないが、カムホイール３３の中心角が４５〜９０°程度、特に５０〜７０°程度の角度をなすような間隔で設置されているのが好ましい。これにより、非常時にディスクトレイ４がどのような位置で停止した場合でも、カムホイール３３を回転させ、ディスクトレイ４を排出することができる。
【００７３】
また、各板片５１、５２、５３は、それぞれ、操作部材５４の先端と当接する側が凹面となるように所望に湾曲または屈曲している。すなわち、操作部材５４の先端と係合する部分が、湾曲凹面等の凹部で構成されている。これにより、操作部材５４の先端の係合がより確実になされ、カムホイール３３へ回転力をロスなく付与することができる。
【００７４】
図５に示すように、操作部材５４としては、例えば金属で構成されるピン５４ａと、このピン５４ａの基端側に固着された把手５４ｂとで構成されたものを用いることができる。ピン５４ａの長さＬは、後述する孔５５にピン５４ａを挿入し、その先端が板片５１、５２、５３に当接してカムホイール３３を回転するのに十分な長さとされる。
【００７５】
ディスク装置１Ａの前面側、すなわち、フロントベゼル１６には、操作部材５４のピン５４ａを挿通するための孔５５が形成されている。
【００７６】
次に、以上のような非常排出機構５０の作用（ディスク取り出し方法）について説明する。
【００７７】
例えば、光ディスク３の再生中に停電が生じ、ディスクトレイ４がディスクの装填位置（装置の最も奥部）またはその近傍で停止した場合には、図２および図３に示すように、孔５５より操作部材５４のピン５４ａを装置内部へ挿入し、その先端を板片５１に係合し、図２中矢印方向へ押圧する。これにより、カムホイール３３が図２中反時計回りに回転し、機構ユニット２２が下降する（ディスクトレイ４が移動可能な位置へ逃げる）とともに、ディスクトレイ４が所定距離前方へ移動する。
【００７８】
カムホイール３３がある程度回転すると、ディスクトレイ４の前方側端部が開口１６ａから突出するので、この突出部分を手で把持して手前に引き出すことにより、ディスクトレイ４を前記排出位置へ強制的に移動させる。これにより、ディスクトレイ４上に載置された光ディスク３を取り出すことが可能となる。
【００７９】
また、上記手でディスクトレイ４を引き出す方法の他、次のような方法も可能である。
【００８０】
操作部材５４による前記板片５１の押圧の後、操作部材５４を一旦前方へ引き、その先端を次の板片５２に係合し、再び押圧する。これにより、カムホイール３３がさらに図２中反時計回りに回転し、ディスクトレイ４は、さらに前方へ移動する。同様にして、操作部材５４により次の板片５３を押圧し、カムホイール３３をさらに同方向回転させると、ディスクトレイ４は、ディスク排出位置まで移動する。これにより、ディスクトレイ４に載置された光ディスク３を取り出すことが可能となる。
【００８１】
また、ディスクトレイ４がディスクの装填位置と排出位置との中間で停止した場合には、孔５５より操作部材５４のピン５４ａを装置内部へ挿入し、前記と同様に、操作部材５４の先端で板片５３を押圧してディスクトレイ４をディスク排出位置へ移動するか、または、板片５２および５３を順次押圧してディスクトレイ４をディスク排出位置へ移動する。これにより、ディスクトレイ４上に載置された光ディスク３を取り出すことが可能となる。
【００８２】
このように、複数の板片５１〜５３をカムホイール３３の外周部に沿って所定間隔をおいて配置したことにより、非常時におけるディスクトレイ４の停止位置にかかわらず、ディスクトレイ４をディスク排出位置まで移動し、光ディスク３を取り出すことができる。
【００８３】
なお、本発明において、板片等の係合部の設置は、図示のごとき３箇所に限らず、１箇所、２箇所または４箇所以上でもよい。また、係合部は、板状のものに限らず、操作部材の先端が係合し得るものであれば、いかなるものでもよい。
【００８４】
以上、本発明のディスク装置を図示の実施例について説明したが、本発明は、これに限定されるものではなく、例えば、カムホイール３３に設けられる係合部は、操作部材の先端が該係合部に例えば引っ掛かるように係合し、操作部材を前方へ引くことによりカムホイール３３が回転してディスクトレイ４が排出されるような構成のものであってもよい。
【００８５】
また、本発明のディスク装置は、光ディスク３を再生または記録・再生するものに限らず、磁気ディスク、光磁気ディスク等を再生または記録・再生する装置に適用することもできる。
【００８６】
【発明の効果】
以上述べたように、本発明によれば、カムホイールに設けられた係合部が非常排出機構として機能するため、従来のような独立した非常排出機構を別途設ける必要がなく、よって、装置の構成が簡素化され、部品点数の減少を図ることができ、製造コストを低減することができる。
【００８７】
特に、板片等の係合部をカムホイールと一体成形により形成することにより、非常排出機構を構成するディスク装置側の独立した部品が不要となり、上記効果がより一層顕著となるとともに、その製造も容易である。
【００８８】
また、本発明によれば、装置内からのディスクの排出、特に、ディスクの再生中に停電等が生じてその回転が停止した場合におけるディスクの取り出しを、簡単な操作で、しかも確実に行うことができる。
【図面の簡単な説明】
【図１】本発明のディスク装置の実施例を示す分解斜視図である。
【図２】図１に示すディスク装置の平面図である。
【図３】図１に示すディスク装置におけるカムホイールの構成を示す斜視図である。
【図４】図１に示すディスク装置におけるディスクトレイの裏面の構成を示す底面図である。
【図５】操作部材の構成例を示す平面図である。
【図６】ディスク装置の比較例を示す分解斜視図である。
【図７】図６に示すディスク装置の平面図である。
【符号の説明】
１Ａ、１Ｂ      ディスク装置
２              装置本体
３              光ディスク
３ａ            中心孔
４              ディスクトレイ
４ａ            ディスク載置部
４ｂ            ラックギヤ
１１            底板
１２            メイン回路基板組立体
１３            機構組立体
１４            ケース
１４ａ          天板部
１４ｂ、１４ｃ  側板部
１４ｄ          背板部
１４ｅ          前板部
１４１ｅ        開口
１５            枠
１６            フロントベゼル
１６ａ          開口
２０            シャーシ
２０ａ          底部
２０ｂ          壁部
２１            凹部
２２            機構ユニット
２３            ベース
２５            スピンドルモータ
２６            ターンテーブル
２７            光学ヘッド
２８            光学ヘッド移動機構
２８ａ          モータ
２８ｂ          リードスクリュー
２８ｃ          減速歯車列
２８ｄ          係合部材
２８ｅ          スライダ
２８ｆ          載置台
２８ｇ          ガイド棒
２９ａ、２９ｂ、２９ｃ  インシュレータ
３０            上下動機構
３１            モータ
３２            減速機構
３２ａ          ローラ
３２ｂ          ホイール
３２ｃ          大ギヤ
３２ｄ          小ギヤ
３３            カムホイール
３３１          フランジ
３４ａ          下側カム溝
３４ｂ          上側カム溝
３４ｃ          傾斜カム溝
３５            ベース昇降部材
３５ａ、３５ｂ  アーム
３５ｃ          連結部
３５ｄ、３５ｅ  軸
３６            フォロアー
３６１          球体
３８            ディスククランパ
４０            非常排出機構
４１            軸
４２            ローラ
４３            板バネ
５０            非常排出機構
５１、５２、５３  板片
５４            操作部材
５４ａ          ピン
５４ｂ          把手
５５            孔
【図１】
0003648732.tif 000002
【図２】
0003648732.tif 000003
【図３】
0003648732.tif 000004
【図４】
0003648732.tif 000005
【図５】
0003648732.tif 000006
【図６】
0003648732.tif 000007
【図７】
0003648732.tif 000008